(57)【要約】【課題】衣服などのファッション用品の展示に用いられる人体モデルであって、赤ちゃんや幼児の自然な動きを表現することができる人体モデルを提供することにある。【解決手段】人体を模して形成されたモデル本体１１の外表面の近傍に磁石１５ａ、１５ｂを備え、台座５０や支柱５１のような強磁性体に磁石１５ａ、１５ｂをくっ付けることにより、一定の姿勢を保持して展示できる。そして、一般的なマネキンスタンドが不要なために、赤ちゃんや幼児の自然な動きを表現することができる。また、人の手足を模した人体モデルは、床や壁を利用して姿勢を保持することが可能であるため、狭いスペースに数多くの商品を並べたり、ディスプレイ方法を工夫することができる。【選択図】図１
0003189082.tif 000002
【実用新案登録請求の範囲】
【請求項１】
衣服などのファッション用品の展示に用いられる人体モデルであって、
人体を模して形成されたモデル本体の外表面の近傍に磁石を備え、
外部の強磁性体に前記磁石をくっ付けることにより、一定の姿勢を保持して展示できることを特徴とする人体モデル。
【請求項２】
前記モデル本体が、プラスチック発泡体を主材料として形成されていることを特徴とする請求項１に記載の人体モデル。
【請求項３】
前記モデル本体が、ＦＲＰを主材料として形成されていることを特徴とする請求項１に記載の人体モデル。
【請求項４】
前記モデル本体が、子供の全身を模して形成されていることを特徴とする請求項１乃至３の何れか１項に記載の人体モデル。
【請求項５】
前記モデル本体が、人の手足を模して形成されていることを特徴とする請求項１乃至３の何れか１項に記載の人体モデル。
【考案の詳細な説明】
【技術分野】
【０００１】
本考案は、衣服などのファッション用品の展示に用いられる人体モデルに関する。等身大の全身を備えるマネキン人形に限らず、胴体部のみのトルソーや、人体の頭部、手、腕、足、脚などの部分を模した展示用モデルを含めて、人体モデルと総称することとする。
【背景技術】
【０００２】
衣類を纏って店頭に飾られるマネキン人形の多くは、専用のスタンドによって一定の姿勢が保持されるようになっている。例えば、特許文献１には、図３に示すようなマネキン人形用スタンドの一例が記載されている。このマネキン人形用スタンド９０は、プレート状のスタンド台９１に立設された管状のスタンド桿９２に、係止部９４を備える係止桿９３を上方から挿入したものである。そして、係止桿９３を上下することにより全体の高さを調節自在にするとともに、螺子９５により固定可能としている。
【０００３】
このマネキン人形用スタンド９０の係止部９４は、マネキン人形９９の腰部中央に挿入されて固定される。そして、マネキン人形９９にブラウスを着せるときには、マネキン人形９９と係止部９４との間に形成される間隙９６に、ブラウスの裾部を押し込むことができる。また、マネキン人形９９にスラックスを穿かせるときには、係止部９４の屈曲した部分に形成される間隙９７に、スラックスを押し込むことができる。さらに、上着を着せたり、靴を履かせたりすることもできる。このように、マネキン人形９９とマネキン人形用スタンド９０の組み合わせは、老若男女を問わず広く使用されている。
【０００４】
しかしながら、例えば、１〜３歳程度の赤ちゃんや幼児の展示を考えると、マネキン人形用スタンド９０を小型化しただけでは、必ずしも適切なスタンドとは言えない。大人の服装を展示する場合には、ポーズをとった姿の見栄えが大切であるが、赤ちゃんの場合には、動きを感じさせ、可愛らしさを表現することが大切であり、スタンドなしでディスプレイできることが望ましい。
【０００５】
特許文献２には、全身に柔軟性があって躍動感のあるポーズをとることが可能であり、スポーツ用品の展示に適したマネキン人形が紹介されている。このように、動きを表現することが可能なマネキン人形であって、赤ちゃんが自然に立ち上がって親子で笑顔を交わしている様子を表現できるような展示方法が望まれている。
【０００６】
また、手、腕、足、脚などの部分を模した展示用人体モデルについても、展示するためには個々にスタンドを必要としている。このために、限られたスペースに多くの商品を並べることが困難であるとともに、その取り扱いが煩雑となっている。したがって、より簡単にストッキングのような商品を数多く並べたり、少し変わって人の目を引き付けたりできる展示方法が望まれている。
【先行技術文献】
【特許文献】
【０００７】
【特許文献１】特開２００３−２６５２８６号公報
【特許文献２】実用新案登録第３１８６４１３号公報
【考案の概要】
【考案が解決しようとする課題】
【０００８】
本考案の目的は、衣服などのファッション用品の展示に用いられる人体モデルであって
、赤ちゃんや幼児の自然な動きや、可愛さを表現することができる人体モデルを提供することにある。また、手、腕、足、脚などの部分を模した人体モデルにおいて、容易に多くの商品を並べたり、展示方法に工夫をすることができる人体モデルを提供することにある
。
【課題を解決するための手段】
【０００９】
本考案の請求項１に係る人体モデルは、衣服などのファッション用品の展示に用いられる人体モデルであって、人体を模して形成されたモデル本体の外表面の近傍に磁石を備え
、外部の強磁性体に前記磁石をくっ付けることにより、一定の姿勢を保持して展示できる手段を採用している。
【００１０】
また、本考案の請求項２に係る人体モデルは、請求項１に記載の人体モデルであって、前記モデル本体が、プラスチック発泡体を主材料として形成されている手段を採用している。
また、本考案の請求項３に係る人体モデルは、請求項１に記載の人体モデルであって、前記モデル本体が、ＦＲＰを主材料として形成されている手段を採用している。
【００１１】
また、本考案の請求項４に係る人体モデルは、請求項１乃至３の何れか１項に記載の人体モデルであって、前記モデル本体が、子供の全身を模して形成されている手段を採用している。
また、本考案の請求項５に係る人体モデルは、請求項１乃至３の何れか１項に記載の人体モデルであって、前記モデル本体が、人の手足を模して形成されている手段を採用している。
【考案の効果】
【００１２】
本考案の人体モデルは、モデル本体の内部であって外表面の近傍に、磁石を備えていることにより、一般的な鋼材で形成された床、壁、又はラックなどにくっ付けることができる。そして、従来のマネキン人形用スタンド９０のように目障りとなる物を必要とせず、自然に立ち上がった赤ちゃんや幼児を可愛らしく表現して展示することができる。また、人の手足を模した人体モデルは、数多くの商品を並べることや、展示方法に工夫を凝らすことができる。
【図面の簡単な説明】
【００１３】
【図１】本考案で子供の全身を表した人体モデルを示し、（ａ）は全体概略図であり、（ｂ）は内部構造を示す概略断面図である。
【図２】本考案で足を表した人体モデルを示した全体概略図である。
【図３】従来のマネキン人形用スタンドを示し、（ａ）は概略全体図であり、（ｂ）はマネキン人形を取り付けた概略全体図である。
【考案を実施するための形態】
【００１４】
本考案の人体モデルは、衣服などのファッション用品の展示に用いるモデルであって、等身大の全身を備えるマネキン人形、胴体部のトルソー、及び人体の頭部、手、腕、足、脚などの部分を模したモデルを対象としている。この人体モデルは、モデル本体の内部に、外表面に近接して磁石を備えており、この部分を外部の強磁性体にくっ付けることによって、一定の姿勢を保持して展示することができる。
【００１５】
磁石をくっ付ける強磁性体としては、一般的には鉄、コバルト、ニッケルなどの金属であるが、その他にも、Ｆｅ−Ｎｉ、Ｆｅ−Ｃｏ、Ｆｅ−Ｎｉ−Ｃｏ−Ａｌ、Ｆｅ−Ｎｉ−Ｃｏなどの合金、ＳｍＣｏ５  、Ｎｄ２  Ｆｅ１４Ｂなどの化合物、γ−Ｆｅ２  Ｏ３  などの酸化物を使用することができる。
【００１６】
そして、個々の人体モデルに専用の台座を用いることもできるが、一般的には、市販の鋼板や鋼管を塗装して、広い展示場所とすることができる。
例えば、コンクリートの床に鋼板を敷いて、展示場所とすることができる。また、壁面に適宜鋼板を取り付けて、展示場所とすることができる。
また、鋼板及び鋼管を適宜組み合わせて、展示用ラックを作ることができる。そして、階段状のラックとすることにより、くっ付ける面が多く使い勝手に優れた床面及び壁面とすることができる。
【００１７】
本考案の一例を図１に示す。人体モデル１０は、幼い子供の全身を模した人形である。従来のマネキン人形用スタンド９０が、マネキン人形９９の要部中央に係止部９４を挿入して固定していたのに対して、この人体モデル１０は、台座５０の上に置かれているだけであるが、この姿勢を保持して展示することができる。また、人体モデル１０は、必要なときに台座５０から取り外して、着せ替えを行うことも自由にできる。
【００１８】
モデル本体１１の構成は、一般的なマネキン人形と同様にＦＲＰで製作することも可能である。しかし、柔軟性を持たせて動きのある姿勢を表現するために、特許文献２に紹介されたマネキン人形と同様の構成とすることが好ましい。すなわち、モデル本体１１は、必要に応じて芯材を用いるとともに、全体をプラスチック発泡体を主材料として形成し、表面を布で覆った構成とすることが好ましい。プラスチック発泡体としては、スチレン重合体やオレフィン重合体を用いることができるが、ウレタンフォームが一般的である。
【００１９】
図１（ｂ）に示すように、モデル本体１１の一方の足には、プラスチック発泡体の中に芯材１２が埋め込まれており、芯材１２には２個の磁石１５ａ、１５ｂが取り付けられている。磁石１５ａは、その足の足裏に設けられており、磁石１５ｂは、その足のふくらはぎに設けられている。一方、台座５０は、小さな支柱５１を備えており、これらを強磁性体で形成することにより、磁石をくっ付けることができる。磁石の位置を、なるべく外表面に近づけることによって、磁力を強くすることができる。
【００２０】
したがって、人体モデル１０は、一方の足の足裏にある磁石１５ａを台座５０にくっ付けることが可能であるとともに、ふくらはぎにある磁石１５ｂを支柱５１にくっ付けることが可能であり、２カ所で固定することができることになる。このため、人体モデル１０は、図のような姿勢をしっかりと保持して、展示することができる。
【００２１】
磁石を設ける位置としては、その他にも、人体モデル１０の背中や手のひらなどが考えられる。例えば、背中に磁石を設けた場合には、立った姿勢又は座った姿勢で、強磁性体の壁に背中をくっ付けて、その姿勢を保持させることができる。また、手のひらに磁石を設けた場合には、手で柱につかまっている姿勢を保持することができる。また、手のひらに物を持たせることができる。
また、両方の手のひらに磁石を設けた場合には、立った姿勢又は座った姿勢で、ブランコに乗っている姿勢を保持することができる。また、手のひらに磁石を設けた二つの人形を並べて、二人で手をつないだ姿勢を保持させることができる。
【００２２】
また、人体モデル１０は、なまし鋼などの可塑性の線材によって芯材を形成することにより、胴体部、肩部、肘部、腰部、膝部などを屈曲可能に形成することができる。これによって、人体モデル１０は、様々な姿勢に変形して使用することが可能となり、応用範囲を拡大することができる。そして、様々な子供の情景を作り出すことができる。そして、複数個の人体モデル１０を使用した場合には、特に優れた展示効果を得ることができる。
【００２３】
本考案の別の一例を図２に示す。人体モデル２０は、人の足を模した人形であり、その足裏に磁石２５を備えている。したがって、強磁性体からなる台座５０の上に載せた状態を保持して展示することができる。また、人体モデル２０は、必要なときに台座５０から取り外して、商品の取り換えを行うことも自由にできる。
【００２４】
モデル本体２１の構成は、一般的なマネキン人形と同様に、ＦＲＰを主材料として製作することができる。すなわち、型枠内の所定の位置に磁石２５を固定した状態で、ＦＲＰを流し込むとともにその状態で冷却することによって、磁石２５を定着させることができる。
【００２５】
このような人体モデルは、脚部、手及び腕部に応用することができる。そして、これらの人体モデルは、その一つ一つを専用の台座５０を用いて展示することもできるが、強磁性体からなる床や壁に、多数並べて展示することも可能となっている。したがって、これらの人体モデルは、ストッキング、靴下、手袋などに新しい展示方法を提供するものであり、表現力の高い展示方法を提供するものである。
【符号の説明】
【００２６】
１０：  人体モデル
１１：  モデル本体
１５ａ、１５ｂ：  磁石
【図１】
0003189082.tif 000003
【図２】
0003189082.tif 000004
【図３】
0003189082.tif 000005